(57)【要約】【課題】異なるアンテナ配置を許容する規格に適合した文書のアンテナ接続されたＩＣから情報を読み取るのに優れた情報読取装置及び情報読取方法を提供すること。【解決手段】情報読取装置は、アンテナが接続された集積回路及び情報が印字された情報印字領域を有する情報記憶媒体の前記情報印字領域から情報を読み取る第１の読取手段と、前記第１の読取手段により読み取られた情報から得られる識別情報に対応付けて管理された前記情報記録媒体のアンテナの位置情報に基づく制御部からのアンテナ切り替え制御により、前記集積回路に接続されたアンテナと通信するためのアンテナの位置を切り替えて、前記集積回路に接続されたアンテナを介して前記集積回路に記憶された情報を読み取る第２の読取手段とを備えている。【選択図】図３
2007241822.tif 000002
【特許請求の範囲】
【請求項１】
アンテナが接続された集積回路及び情報が印字された情報印字領域を有する情報記憶媒体の前記情報印字領域から情報を読み取る第１の読取手段と、
前記第１の読取手段により読み取られた情報から得られる識別情報に対応付けて管理された前記情報記録媒体のアンテナの位置情報に基づく制御部からのアンテナ切り替え制御により、前記集積回路に接続されたアンテナと通信するためのアンテナの位置を切り替えて、前記集積回路に接続されたアンテナを介して前記集積回路に記憶された情報を読み取る第２の読取手段と、
を備えたことを特徴とする情報読取装置。
【請求項２】
前記第２の読取手段は、前記第１の読取手段により読み取られた情報に基づき生成された鍵情報に基づき前記情報記憶媒体の集積回路と通信することを特徴とする請求項１記載の情報読取装置。
【請求項３】
前記第２の読取手段は、前記位置情報に基づく制御部からのアンテナ切り替え制御により、前記第２の読取手段を構成する配置の異なる複数のアンテナの中から一つのアンテナを選択し、選択したアンテナにより前記情報記録媒体の集積回路に接続されたアンテナと通信することを特徴とする請求項１記載の情報読取装置。
【請求項４】
前記第２の読取手段は、前記位置情報に基づく制御部からのアンテナ切り替え制御により、前記第２の読取手段を構成するアンテナを基準位置へ移動し、基準位置へ移動したアンテナにより前記情報記録媒体の集積回路に接続されたアンテナと通信することを特徴とする請求項１記載の情報読取装置。
【請求項５】
前記第２の読取手段は、前記情報記録媒体のアンテナと前記第２の読取手段を構成するアンテナとの通信状態に基づく制御部からのアンテナ切り替え制御により、前記第２の読取手段を構成する前記アンテナを前記基準位置から所定距離移動し、所定距離移動したアンテナにより前記情報記録媒体の集積回路に接続されたアンテナと通信することを特徴とする請求項４記載の情報読取装置。
【請求項６】
アンテナが接続された集積回路及び情報が印字された情報印字領域を有する情報記憶媒体の前記情報印字領域から情報を読み取る第１の読取手段と、
前記第１の読取手段により読み取られた情報から得られる識別情報に対応付けて管理された前記情報記録媒体のアンテナの位置情報に基づき、アンテナ切り替えを制御する制御手段と、
前記制御手段のアンテナ切り替え制御により、アンテナ位置を切り替えて、前記集積回路に接続されたアンテナを介して前記集積回路に記憶された情報を読み取る第２の読取手段と、
を備えたことを特徴とする情報読取システム。
【請求項７】
前記第２の読取手段は、前記第１の読取手段により読み取られた情報に基づき生成された鍵情報に基づき前記情報記録媒体の集積回路と通信することを特徴とする請求項６記載の情報読取システム。
【請求項８】
前記第２の読取手段は、前記位置情報に基づく前記制御手段からのアンテナ切り替え制御により、前記第２の読取手段を構成する配置の異なる複数のアンテナの中から一つのアンテナを選択し、選択したアンテナにより前記情報記録媒体の集積回路に接続されたアンテナと通信することを特徴とする請求項６記載の情報読取システム。
【請求項９】
前記第２の読取手段は、前記位置情報に基づく前記制御手段からのアンテナ切り替え制御により、前記第２の読取手段を構成するアンテナを基準位置へ移動し、基準位置へ移動したアンテナにより前記情報記録媒体の集積回路に接続されたアンテナと通信することを特徴とする請求項６記載の情報読取システム。
【請求項１０】
前記制御手段は、前記情報記録媒体のアンテナと前記第２の読取手段を構成するアンテナとの通信状態に基づき、アンテナ切り替えを制御し、
前記第２の読取手段は、前記制御手段からのアンテナ切り替え制御により、前記第２の読取手段を構成するアンテナを前記基準位置から所定距離移動し、所定距離移動したアンテナにより前記情報記録媒体の集積回路に接続されたアンテナと通信することを特徴とする請求項９記載の情報読取システム。
【請求項１１】
情報記録媒体の集積回路に接続されたアンテナと通信し、前記集積回路に記憶録された情報を取得するために、前記情報記録媒体の情報印字領域から情報を読み取り、
前記読み取った情報から得られる識別情報に対応付けて管理された前記情報記録媒体のアンテナの位置情報に基づく制御部からのアンテナ切り替え制御により、前記集積回路に接続されたアンテナと通信するためのアンテナの位置を切り替えて、前記集積回路に接続されたアンテナを介して前記集積回路に記憶された情報を読み取る、
ことを特徴とする情報読取方法。
【発明の詳細な説明】
【技術分野】
【０００１】
本発明は、アンテナが接続された集積回路（ＩＣ）及び情報が印字された情報印字領域を有する情報記録媒体から情報を読み取る情報読取装置、情報読取システム、及び情報読取方法に関する。
【背景技術】
【０００２】
旅券などの冊子には、製造時点から基体固有情報が付加されている。このような冊子に対して、画像データを転写する場合には、転写する画像データと基体固有情報との整合を取る必要があり、整合を取るための技術が提案されている（特許文献１参照）。
【０００３】
一方、近年、各種証明書、例えばパスポート等の渡航文書のＩＣ化が各国で進められている。ＩＣ化される渡航文書の規格は、国際民間航空機関（ＩＣＡＯ）が発行するＤｏｃ９３０３の規格に定められている。例えばＤｏｃ９３０３には、ＩＣに接続されるアンテナ（以下、ＩＣアンテナ）の設置位置、そして、ＩＣに記録された情報の読み取り方法等が定められている。
【０００４】
しかしながら、その規格は画一的なものではなく、その規格に対する選択肢が残された形となっているため、例えば、ＩＣアンテナの設置位置は、何種類かのガイドはあるものの各発行国の裁量に任されている。
【０００５】
他方、このＩＣの情報を読み取るためには、個人情報の保護のため、渡航文書の読取面に印刷されている情報から暗号化通信用の鍵を生成することが必要となり、この暗号化通信方式についてもＤｏｃ９３０３に規定されている。
【０００６】
この暗号化通信方式の採用により、渡航文書の所持者の意図せぬタイミングでＩＣに記録されている情報をスキミングされることが防止可能となる。ＩＣに記録された情報を読み出す場合には、まず、読取面に印字された発行国情報、旅券番号、生年月日、有効期間満了日等の必要な情報を認識することが必要であり、そのために、一般的にＯＣＲが使用される。
【０００７】
このＯＣＲにより、読取面印字の情報を認識し、暗号化通信に必要な鍵生成のための基本情報を取得する。続いて、制御部により、この基本情報から暗号化鍵が生成され、ＩＣリーダにより、暗号化鍵により渡航文書のＩＣと暗号化通信が行なわれ、ＩＣに記録されている情報が読み取られる。
【０００８】
つまり、ＯＣＲ、制御部、ＩＣリーダが個別に設置された環境で、まず、渡航文書をＯＣＲに対してセットし、次に渡航文書をＯＣＲから取り上げて、取り上げた渡航文書をＩＣリーダに移動させてセットする渡航文書移動作業が必要となる。
【特許文献１】特開２００４−１６７８２９
【発明の開示】
【発明が解決しようとする課題】
【０００９】
上記した移動作業は煩雑であり、意識して正しい手順で操作しない限り、所望の情報を得られないことが起こりうる。また、近傍に複数の渡航文書がある場合には、読み取りたい渡航文書のＩＣと異なる渡航文書のＩＣから情報が読み出されてしまう事態も考えられる。
【００１０】
その結果、正しい暗号化通信が行えずに読み取りが失敗することも起こりえる。また、ＩＣアンテナの中心点の配置についても各発行国の裁量に任されているため、ＩＣリーダに対しどのような位置関係で渡航文書をセットすれば、確実に情報を読み取れるのかも外見だけでは判断できず、試行錯誤することも予想される。この間、ＩＣリーダによっては、タイムアウト等の設定により読み取り処理が中断されてしまうことも想定される。
【００１１】
そこで、この発明は上記事情に基づいてなされたもので、異なるアンテナ配置を許容する規格に適合した文書のアンテナ接続されたＩＣから情報を読み取るのに優れた情報読取装置、情報読取システム、及び情報読取方法を提供することを目的とする。
【課題を解決するための手段】
【００１２】
この発明は上記の目的を達成するために、情報読取装置は、アンテナが接続された集積回路及び情報が印字された情報印字領域を有する情報記憶媒体の前記情報印字領域から情報を読み取る第１の読取手段と、前記第１の読取手段により読み取られた情報から得られる識別情報に対応付けて管理された前記情報記録媒体のアンテナの位置情報に基づく制御部からのアンテナ切り替え制御により、前記集積回路に接続されたアンテナと通信するためのアンテナの位置を切り替えて、前記集積回路に接続されたアンテナを介して前記集積回路に記憶された情報を読み取る第２の読取手段とを備えている。
【００１３】
また、情報読取システムは、アンテナが接続された集積回路及び情報が印字された情報印字領域を有する情報記憶媒体の前記情報印字領域から情報を読み取る第１の読取手段と、前記第１の読取手段により読み取られた情報から得られる識別情報に対応付けて管理された前記情報記録媒体のアンテナの位置情報に基づき、アンテナ切り替えを制御する制御手段と、前記制御手段のアンテナ切り替え制御により、アンテナ位置を切り替えて、前記集積回路に接続されたアンテナを介して前記集積回路に記憶された情報を読み取る第２の読取手段とを備えている。
【００１４】
また、情報読取方法は、情報記録媒体の集積回路に接続されたアンテナと通信し、前記集積回路に記憶録された情報を取得するために、前記情報記録媒体の情報印字領域から情報を読み取り、前記読み取った情報から得られる識別情報に対応付けて管理された前記情報記録媒体のアンテナの位置情報に基づく制御部からのアンテナ切り替え制御により、前記集積回路に接続されたアンテナと通信するためのアンテナの位置を切り替えて、前記集積回路に接続されたアンテナを介して前記集積回路に記憶された情報を読み取る。
【発明の効果】
【００１５】
上記のような構成によれば異なるアンテナ配置を許容する規格に適合した文書のアンテナ接続されたＩＣからの情報の読み取りに優れた情報読取装置、情報読取システム、及び情報読取方法を提供することができる。
【発明を実施するための最良の形態】
【００１６】
以下この発明の実施の形態について図面を参照して説明する。
【００１７】
図１は、この発明の第１及び第２の実施形態に係る渡航文書読取装置１０の概略構成を示す図である。図２は、渡航文書読取装置１０に渡航文書２０ａ（情報記録媒体）がセットされた状態を示す図である。なお、渡航文書には、例えば、図５から図７に示すように、アンテナ配置の違いから、渡航文書２０ａ、渡航文書２０ｂ、渡航文書２０ｃがあると仮定する。ここでは、一例として、渡航文書２０ａがセットされた状態について示す。
【００１８】
渡航文書読取装置１０は、渡航文書検知スイッチ１１及び印字情報読取面１２を備えている。渡航文書読取装置１０の所定位置にＩＣ２２ａを備えた渡航文書２０ａがセットされると、渡航文書検知スイッチ１１が押し下げられ渡航文書２０ａが検知される。渡航文書２０ａが検知されると、渡航文書２０ａの印字記録領域に印字された情報の読み取りが開始され、この印字情報の読取結果を利用して渡航文書２０ａのＩＣ２２ａに記録された情報の読み取りが開始される。
【００１９】
図３は、この発明の第１及び第２の実施形態に係る渡航文書読取システム１の概略構成を示すブロック図である。渡航文書読取システム１は、図１及び図２に示す渡航文書読取装置１０、ＰＣ等の上位装置３０、及びディスプレイ３１を備えている。渡航文書読取装置１０は、ＣＣＤカメラ等の入力装置１３、ＯＣＲ認識装置１４、無線情報読取装置１５、制御部１６、及び通信部１７を備えている。また、ＰＣ等の上位装置３０は、渡航文書読取装置１０（制御部１６）とＬＡＮまたはＵＳＢ等を介して通信可能な状態で接続され、ＰＣ等の上位装置３０には、ディスプレイ３１が接続されている。
【００２０】
最初に、第１の実施形態として、通信部１７が複数のアンテナを備えるケースについて説明する。
【００２１】
図４は、第１の実施形態に係る通信部１７を構成する複数のアンテナのレイアウトの一例を示す図である。通信部１７は、設置位置の異なったアンテナ１７ａ、１７ｂ、１７ｃを有している。なお、これらアンテナ１７ａ、１７ｂ、１７ｃのサイズ、利得、指向性を変えてさらなる通信の安定化を図ることもできる。制御部１７は、印字情報の読取結果及びアンテナレイアウト情報に基づき、アンテナ１７ａ、１７ｂ、１７ｃを選択的に通信可能状態に切り替える。この切り替え制御については、後に詳しく説明する。
【００２２】
例えば図５から図７に示すように、規格上、渡航文書２０ａ、２０ｂ、２０ｃが許容されているとする。つまり、渡航文書２０ａ、２０ｂ、２０ｃのＩＣアンテナのレイアウトが許容されているとする。
【００２３】
渡航文書２０ａ、２０ｂ、２０ｃは、それぞれ、情報印字領域２１ａ、２１ｂ、２１ｃと、ＩＣ２２ａ、２２ｂ、２２ｃと、ＩＣアンテナ２３ａ、２３ｂ、２３ｃとを備えている。情報印字領域２１ａ、２１ｂ、２１ｃの各々には、発行国情報、旅券番号、生年月日、有効期間満了日等の情報が印字されている。ＩＣ２２ａ、２２ｂ、２２ｃの各々にも、発行国情報、旅券番号、生年月日、有効期間満了日等の情報が記録されている。ＩＣ２２ａ、２２ｂ、２２ｃには、それぞれ、ＩＣアンテナ２３ａ、２３ｂ、２３ｃが接続されている。ＩＣアンテナ２３ａ、２３ｂ、２３ｃは、通信部１７からの電波を受信し、ＩＣ２２ａ、２２ｂ、２２ｃそれぞれを励起状態にする。
【００２４】
図５から図７に示すように、情報印字領域２１ａ、２１ｂ、２１ｃと、ＩＣ２２ａとＩＣアンテナ２３ａ、２３ｂ、２３ｃとの相対的な位置関係は、規格によって複数種類許容されている。
【００２５】
まず、図５に示す渡航文書２０ａの読み取りについて説明する。
【００２６】
はじめに、使用者は、渡航文書２０ａの情報印字領域２１ａを印字情報読取面１２に合わせてセットする。渡航文書２０ａがセットされると渡航文書検知スイッチ１１が押し込まれ、渡航文書２０ａのセットが検知される。
【００２７】
渡航文書２０ａのセット方向には、一定のルールが定められている。例えば、渡航文書２０ａの情報印字領域２１ａを渡航文書読取装置１０の印字情報読取面１２に対向させた状態で、つまり渡航文書２０ａの辺Ａ'側（図５参照）を渡航文書読取装置１０の基準辺Ａ側（図１及び図２参照）に向けて渡航文書２０ａを渡航文書読取装置１０にセットする。
【００２８】
渡航文書読取装置１０の印字情報読取面１２の内部には、ＣＣＤカメラ等の入力装置１３を装備したＯＣＲ認識装置１４が内蔵されている。ＣＣＤカメラ等の入力装置１３は渡航文書２０ａの情報印字領域２１ａに印字された画像情報を取得する。ＯＣＲ認識装置１４は、取得した画像情報に含まれる文字及び記号等を認識する。つまり、ＯＣＲ認識装置１４は、取得した画像情報から、発行国情報、旅券番号、生年月日、有効期間満了日等の渡航文書情報を読み取る。
【００２９】
ＯＣＲ認識装置１４によって読み取られた渡航文書情報は、制御部１６に送られる。制御部１６は記録領域を有し、この記録領域には各発行国情報に対応付けられたＩＣアンテナレイアウト情報が記録されている。制御部１６は、渡航文書２０ａの情報印字領域２１ａから読み取られた渡航文書情報に含まれる発行国情報に対応するＩＣアンテナレイアウト情報を取得し、取得したＩＣアンテナレイアウト情報に従い、このケースでは、通信部１７のアンテナ１７ａ、１７ｂ、１７ｃからアンテナ１７ａを選択する。つまり、制御部１６は、アンテナ１７ａによる通信を可能にする（図８参照）。
【００３０】
これにより、印字情報読取面１２上にセットされた渡航文書２０ａのＩＣアンテナ２３ａは、対向するアンテナ１７ａと通信することができる。
【００３１】
アンテナ１７ａはＩＣ通信帯域電波をＩＣアンテナ２３ａに対して送信する。ＩＣ２２ａは、ＩＣアンテナ２３ａで受信した電波によって励起状態となり、アンテナ１７ａは、ＩＣ２２ａから情報を読み取ることが可能となる。
【００３２】
次に、図６に示す渡航文書２０ｂの読み取りについて説明する。
【００３３】
使用者は、渡航文書２０ｂの情報印字領域２１ｂを印字情報読取面１２に合わせてセットする。渡航文書２０ｂがセットされると渡航文書検知スイッチ１１が押し込まれ、渡航文書２０ｂのセットが検知される。
【００３４】
渡航文書２０ｂのセット方向には、一定のルールが定められている。例えば、渡航文書２０ｂの情報印字領域２１ｂを渡航文書読取装置１０の印字情報読取面１２に対向させた状態で、つまり渡航文書２０ｂの辺Ａ'側（図６参照）を渡航文書読取装置１０の基準辺Ａ側（図１及び図２参照）に向けて渡航文書２０ｂを渡航文書読取装置１０にセットする。
【００３５】
上記同様に、制御部１６は、渡航文書２０ｂの情報印字領域２１ｂから読み取られた渡航文書情報に含まれる発行国情報に対応するＩＣアンテナレイアウト情報を取得し、取得したＩＣアンテナレイアウト情報に従い、このケースでは、通信部１７のアンテナ１７ａ、１７ｂ、１７ｃからアンテナ１７ｂを選択する。つまり、制御部１６は、アンテナ１７ｂによる通信を可能にする（図９参照）。
【００３６】
これにより、印字情報読取面１２上にセットされた渡航文書２０ｂのＩＣアンテナ２３ｂは、対向するアンテナ１７ｂと通信することができる。
【００３７】
次に、図７に示す渡航文書２０ｃの読み取りについて説明する。
【００３８】
使用者は、渡航文書２０ｃの情報印字領域２１ｃを印字情報読取面１２に合わせてセットする。渡航文書２０ｃがセットされると渡航文書検知スイッチ１１が押し込まれ、渡航文書２０ｃのセットが検知される。
【００３９】
渡航文書２０ｃのセット方向には、一定のルールが定められている。例えば、渡航文書２０ｃの情報印字領域２１ｃを渡航文書読取装置１０の印字情報読取面１２に対向させた状態で、つまり渡航文書２０ｃの辺Ａ'側（図７参照）を渡航文書読取装置１０の基準辺Ａ側（図１及び図２参照）に向けて渡航文書２０ｃを渡航文書読取装置１０にセットする。
【００４０】
上記同様に、制御部１６は、渡航文書２０ｃの情報印字領域２１ｃから読み取られた渡航文書情報に含まれる発行国情報に対応するＩＣアンテナレイアウト情報を取得し、取得したＩＣアンテナレイアウト情報に従い、このケースでは、通信部１７のアンテナ１７ａ、１７ｂ、１７ｃからアンテナ１７ｃを選択する。つまり、制御部１６は、アンテナ１７ｂによる通信を可能にする（図１０参照）。
【００４１】
これにより、印字情報読取面１２上にセットされた渡航文書２０ｃのＩＣアンテナ２３ｃは、対向するアンテナ１７ｃと通信することができる。
【００４２】
上記示したように、制御部１６は、ＯＣＲ認識装置１４で読み出された発行国情報、及び発行国情報に対応付けられたＩＣアンテナレイアウト情報に基づき、適切なアンテナを選択し通信する。これにより、情報印字領域２１ａ、２１ｂ、２１ｃとＩＣ２２ａ、２２ｂ、２２ｃおよびＩＣアンテナ２３ａ、２３ｂ、２３ｃとの相対位置が異なる様々な渡航文書２０ａ、２０ｂ、２０ｃがセットされても、これら渡航文書２０ａ、２０ｂ、２０ｃと安定した通信を行なうことができる。
【００４３】
また、制御部１６は、ＯＣＲ認識装置１４で読み取った旅券番号、生年月日、有効期間満了日等といった情報から、暗号鍵を生成する。通信部１７は、この暗号鍵を用いて、渡航文書２０ａ、２０ｂ、２０ｃのＩＣ２２ａ、２２ｂ、２２ｃと通信する。これにより、高いセキュリティを保持することができる。
【００４４】
ＩＣ２２ａ、２２ｂ、２２ｃから読み取られた情報は、ＬＡＮまたは、ＵＳＢ等の通信手段を介して、ＰＣ等の上位装置３０へと送られ、ディスプレイ３１に表示される。また、その情報をアプリケーションプログラムに引き渡し、所望の処理を行うことも可能である。さらに渡航文書読取装置１０はＰＣ等の上位装置３０と一体化され、スタンドアローンで機能する装置として実現することも可能である。
【００４５】
図１１は、第１の実施形態に係る渡航文書読取処理（アンテナ１７ａ、１７ｂ、１７ｃの選択による通信）を説明するためのフローチャートである。
【００４６】
渡航文書２０ａの情報印字領域２１ａ、渡航文書２０ｂの情報印字領域２１ｂ、又は渡航文書２０ｃの情報印字領域２１ｃが、渡航文書読取装置１０の印字情報読取面１２に向けてセットされると（ステップＳ１０１）、渡航文書検知スイッチ１１が押し下げられ、渡航文書２０ａ、２０ｂ、又は２０ｃのセットが検知される。ＯＣＲ読取装置１４は、情報印字領域２１ａ、２１ｂ、又は２１ｃに記録された情報を光学的に認識する（ステップＳ１０２）。
【００４７】
次に、制御部１６は、認識した情報に含まれる発行国情報に基づき、ＩＣアンテナレイアウト情報を引き出す（ステップＳ１０３）。制御部１６は、引き出されたＩＣアンテナレイアウト情報に基づき、アンテナ１７ａ、１７ｂ、及び１７ｃの中から一つのアンテナを選択する（ステップＳ１０４）。例えば、渡航文書２０ａの情報印字領域２１ａに印字された発行国情報に基づき、アンテナ１７ａが選択される。渡航文書２０ｂの情報印字領域２１ｂに印字された発行国情報に基づき、アンテナ１７ｂが選択される。渡航文書２０ｃの情報印字領域２１ｃに印字された発行国情報に基づき、アンテナ１７ｃが選択される。
【００４８】
通信部１７は、選択されたアンテナ１７ａ、１７ｂ、又は１７ｃを用いて、ＩＣ２２ａ、２２ｂ、又は２２ｃと無線通信する（ステップＳ１０５）。ここで、セキュリティ向上のため、ＯＣＲ認識装置１４で読み取った旅券番号、生年月日、有効期間満了日等といった情報から生成された暗号鍵を用いて、ＩＣ２２ａ、２２ｂ、２２ｃと暗号化通信をすることも可能である。
【００４９】
そして、無線通信によってＩＣ２２ａ、２２ｂ、２２ｃから得られた個人情報は、ＰＣ等の上位装置３０に取り込まれ、ディスプレイ３１に表示される（ステップＳ１０６）。
【００５０】
次に、第２の実施形態として、通信部１７が単一のアンテナを備えるケースについて説明する。
【００５１】
図１２は、第２の実施形態に係る通信部１７を備えた渡航文書読取装置１０の概略構成を示す図である。図１２に示すように、通信部１７は、アンテナ１７ｄを備えている。アンテナ１７ｄは、制御部１６の移動制御により３次元に移動することができる。
【００５２】
まず、図５に示す渡航文書２０ａの読み取りについて説明する。
【００５３】
図５に示す渡航文書２０ａの情報印字領域２１ａを渡航文書読取装置１０の印字情報読取面１２に対向させた状態で、つまり渡航文書２０ａの辺Ａ'側（図５参照）を渡航文書読取装置１０の基準辺Ａ側（図１２参照）に向けて渡航文書２０ａを渡航文書読取装置１０にセットする。
【００５４】
ＣＣＤカメラ等の入力部１３は渡航文書２０ａの情報印字領域２１ａの画像を取得する。ＣＣＤカメラ等の入力装置１３は渡航文書２０ａの情報印字領域２１ａに印字された画像情報を取得する。ＯＣＲ認識装置１４は、取得した画像情報に含まれる文字及び記号等を認識する。つまり、ＯＣＲ認識装置１４は、取得した画像情報から、発行国情報、旅券番号、生年月日、有効期間満了日等の渡航文書情報を読み取る。
【００５５】
ＯＣＲ認識装置１４によって読み取られた渡航文書情報は、制御部１６に送られる。制御部１６は記録領域を有し、この記録領域には各発行国情報に対応付けられたＩＣアンテナレイアウト情報が記録されている。制御部１６は、渡航文書２０ａの情報印字領域２１ａから読み取られた渡航文書情報に含まれる発行国情報に対応するＩＣアンテナレイアウト情報を取得し、取得したＩＣアンテナレイアウト情報に従い通信部１７のアンテナ１７ｄの移動を制御する。その結果、このケースでは、通信部１７のアンテナ１７ｄが、第１の位置（例えば図８に示すアンテナ１７ａの位置（基準位置））へ移動する。この移動により、通信部１７のアンテナ１７ｄは、渡航文書２０ａのＩＣ２２ａ及びＩＣアンテナ２３ａと印字情報読取面１２を挟んで対向し、安定な無線通信ができる。
【００５６】
次に、図６に示す渡航文書２０ｂの読み取りについて説明する。
【００５７】
渡航文書２０ｂの情報印字領域２１ｂを渡航文書読取装置１０の印字情報読取面１２に対向させた状態で、つまり渡航文書２０ｂの辺Ａ'側（図６参照）を渡航文書読取装置１０の基準辺Ａ側（図１２参照）に向けて渡航文書２０ｂを渡航文書読取装置１０にセットする。
【００５８】
上記同様に、制御部１６は、渡航文書２０ｂの情報印字領域２１ｂから読み取られた渡航文書情報に含まれる発行国情報に対応するＩＣアンテナレイアウト情報を取得し、取得したＩＣアンテナレイアウト情報に従い通信部１７のアンテナ１７ｄの移動を制御する。その結果、このケースでは、通信部１７のアンテナ１７ｄが、第２の位置（例えば図９に示すアンテナ１７ｂの位置（基準位置））へ移動する。この移動により、通信部１７のアンテナ１７ｄは、渡航文書２０ｂのＩＣ２２ｂ及びＩＣアンテナ２３ｂと印字情報読取面１２を挟んで対向し、安定な無線通信ができる。
【００５９】
次に、図７に示す渡航文書２０ｃの読み取りについて説明する。
【００６０】
渡航文書２０ｃの情報印字領域２１ｃを渡航文書読取装置１０の印字情報読取面１２に対向させた状態で、つまり渡航文書２０ｃの辺Ａ'側（図６参照）を渡航文書読取装置１０の基準辺Ａ側（図１２参照）に向けて渡航文書２０ｃを渡航文書読取装置１０にセットする。
【００６１】
上記同様に、制御部１６は、渡航文書２０ｃの情報印字領域２１ｃから読み取られた渡航文書情報に含まれる発行国情報に対応するＩＣアンテナレイアウト情報を取得し、取得したＩＣアンテナレイアウト情報に従い通信部１７のアンテナ１７ｄの移動を制御する。その結果、このケースでは、通信部１７のアンテナ１７ｄが、第３の位置（例えば図１０に示すアンテナ１７ｃの位置（基準位置））へ移動する。この移動により、通信部１７のアンテナ１７ｄは、渡航文書２０ｃのＩＣ２２ｃ及びＩＣアンテナ２３ｃと印字情報読取面１２を挟んで対向し、安定な無線通信ができる。
【００６２】
なお、上記移動制御を経ても通信が安定しない場合（通信エラー発生時）、つまり制御部１６による通信状態の検出結果に基づき、アンテナ可動範囲２４においてアンテナ１７ｄの移動を再制御し、アンテナ１７の位置を調整する（基準位置から所定距離移動させる）。その結果、渡航文書２０ａ、２０ｂ、２０ｃの異なるアンテナ配置に対応可能なだけでなく、配置が同じでも指向性の異なるアンテナにも対応が可能となり、より安定した通信を実現することができる。
【００６３】
また、上記説明した例では、渡航文書２０ａ、２０ｂ、２０ｃにおける情報印字領域２１ａ、２１ｂ、２１ｃと、ＩＣ２２ａ、２２ｂ、２２ｃおよびＩＣアンテナ２３ａ、２３ｂ、２３ｃとの相対的な位置が違うため、渡航文書読取装置１０の制御部１６が通信部１７のアンテナ位置を制御するケースについて説明したが、この発明はこれだけに限定されるものではない。例えば、通信部１７のアンテナ位置を固定し、読取対象である渡航文書２０ａ、２０ｂ、２０ｃのＩＣ２２ａ、２２ｂ、２２ｃおよびＩＣアンテナ２３ａ、２３ｂ、２３ｃが通信部１７のアンテナと対向するように、渡航文書２０を移動させる構成としても良い。
【００６４】
図１３は、第２の実施形態に係る渡航文書読取処理（アンテナ１７ｄの移動による通信）を説明するためのフローチャートである。
【００６５】
渡航文書２０ａの情報印字領域２１ａ、渡航文書２０ｂの情報印字領域２１ｂ、又は渡航文書２０ｃの情報印字領域２１ｃが、渡航文書読取装置１０の印字情報読取面１２に向けてセットされると（ステップＳ２０１）、渡航文書検知スイッチ１１が押し下げられ、渡航文書２０ａ、２０ｂ、又は２０ｃのセットが検知される。ＯＣＲ読取装置１４は、情報印字領域２１ａ、２１ｂ、又は２１ｃに記録された情報を光学的に認識する（ステップＳ２０２）。
【００６６】
次に、制御部１６は、認識した情報に含まれる発行国情報に基づき、ＩＣアンテナレイアウト情報を引き出す（ステップＳ２０３）。制御部１６は、引き出されたＩＣアンテナレイアウト情報に基づき、アンテナ１７ｄの移動を制御する（ステップＳ２０４）。例えば、渡航文書２０ａの情報印字領域２１ａに印字された発行国情報に基づき、アンテナ１７ｄが第１の位置（例えば図８に示すアンテナ１７ａの位置（基準位置））へ移動する。渡航文書２０ｂの情報印字領域２１ｂに印字された発行国情報に基づき、アンテナ１７ｄが第２の位置（例えば図９に示すアンテナ１７ｂの位置（基準位置））へ移動する。渡航文書２０ｃの情報印字領域２１ｃに印字された発行国情報に基づき、アンテナ１７ｄが第３の位置（例えば図１０に示すアンテナ１７ｃの位置（基準位置））へ移動する。
【００６７】
次に、制御部１６は、通信状態に基づき（正常に通信できているか否かの判断に基づき）、アンテナ１７ｄの再制御（微調整）が必要か否かを判断し（ステップＳ２０５）、再制御が必要であると判断すると（ステップＳ２０５、ＮＯ）、アンテナ１７ｄの位置を基準位置から所定距離だけ移動させる（ステップＳ２０８）。制御部１６は、再制御が必要ないと判断すると（ステップＳ２０５、ＹＥＳ）、アンテナ１７ｄを介してＩＣ２２ａ、２２ｂ、又は２２ｃとの無線通信が開始される（ステップＳ２０７）。ＯＣＲ認識装置１４で読み取った旅券番号、生年月日、有効期間満了日等といった情報から生成された暗号鍵を用いて、ＩＣ２２ａ、２２ｂ、又は２２ｃと暗号化通信をすることも可能である。
【００６８】
そして、無線通信によってＩＣ２２ａ、２２ｂ、２２ｃから得られた個人情報は、ＰＣ等の上位装置３０に取り込まれ、表示される（ステップＳ２０８）。
【００６９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７０】
【図１】この発明の第１及び第２の実施形態に係る渡航文書読取装置の概略構成を示す図である。
【図２】この発明の第１及び第２の実施形態に係る渡航文書読取装置に渡航文書（情報記録媒体）がセットされた状態を示す図である。
【図３】この発明の第１及び第２の実施形態に係る渡航文書読取システム１の概略構成を示すブロック図である。
【図４】第１の実施形態に係る通信部を構成する複数のアンテナのレイアウトの一例を示す図である。
【図５】渡航文書読取装置に適用される渡航文書の第１例を示す図である。
【図６】渡航文書読取装置に適用される渡航文書の第２例を示す図である。
【図７】渡航文書読取装置に適用される渡航文書の第３例を示す図である。
【図８】この発明の第１の実施形態に係る通信部のアンテナ切り替え制御の第１例を示す図である。
【図９】この発明の第１の実施形態に係る通信部のアンテナ切り替え制御の第２例を示す図である。
【図１０】この発明の第１の実施形態に係る通信部のアンテナ切り替え制御の第３例を示す図である。
【図１１】第１の実施形態に係る渡航文書読取処理を説明するためのフローチャートである。
【図１２】第２の実施形態に係る通信部を備えた渡航文書読取装置の概略構成を示す図である。
【図１３】第２の実施形態に係る渡航文書読取処理（アンテナ１７ｄの移動による通信）を説明するためのフローチャートである。
【符号の説明】
【００７１】
１０…渡航文書読取装置、１１…渡航文書検知センサ、１２…印字情報読取面、１３…入力装置、１４…ＯＣＲ認識装置、１５…無線情報読取装置、１６…制御部、１７…通信部、１７ａ…アンテナ、１７ｂ…アンテナ、１７ｃ…アンテナ、１７ｄ…アンテナ、２０ａ…渡航文書（情報記録媒体）、２０ｂ…渡航文書、２０ｃ…渡航文書、２１ａ…情報印字領域、２１ｂ…情報印字領域、２１ｃ…情報印字領域、２２ａ…ＩＣ、２２ｂ…ＩＣ、２２ｃ…ＩＣ、２３ａ…ＩＣアンテナ、２３ｂ…ＩＣアンテナ、２３ｃ…ＩＣアンテナ、２４…可動範囲、３０…ＰＣ等上位装置、３１…ディスプレイ。
【図１】
2007241822.tif 000003
【図２】
2007241822.tif 000004
【図３】
2007241822.tif 000005
【図４】
2007241822.tif 000006
【図５】
2007241822.tif 000007
【図６】
2007241822.tif 000008
【図７】
2007241822.tif 000009
【図８】
2007241822.tif 000010
【図９】
2007241822.tif 000011
【図１０】
2007241822.tif 000012
【図１１】
2007241822.tif 000013
【図１２】
2007241822.tif 000014
【図１３】
2007241822.tif 000015